(57)【要約】本発明は医療又は歯科の処置に使用される種々の型の外科的装置をリリース自在に保持するのに使用し得る改良されたハンドルを提供する。ハンドルは、把握部分と、ハンドルと一緒の使用に意図された装置に用意された一つ以上のくぼみと係合するように設計された引き込み自在のスライダーピンを含むロック組立体とを含む。ロック組立体はピンを延長位置に保持し、それにより外科的装置をハンドルにロックする少なくとも一つのバイアス部材を備えていてもよい。その装置は使用者によりピンを引き込めて装置をハンドルから解放することによりハンドルから除去されてもよく、又は回転させられてもよい。ハンドル中で外科的装置を交換可能に使用する系及び方法もまた開示される。
2004516062.tif 000002
【特許請求の範囲】
【請求項１】
把握部分と、
上部及び下部を備えたボディ、並びに外科的装置をハンドルに固定するための引き込み自在のスライダーピンを有するハンドルロック組立体と
を含むことを特徴とする少なくとも一つの外科的装置をリリース自在に取り付けるためのハンドル。
【請求項２】
ロック組立体ボディが外科的装置を挿入するためのボディ中に配置された開口部を含み、その開口部がボディの上部から下部に延び、引き込み自在のスライダーピンはピンが開口部に突き出る延長位置からピンが開口部から取り出される引き込んだ位置まで移動可能である請求項１記載のハンドル。
【請求項３】
ロック組立体がスライダーピンに連結されたハンドルスライダーを更に含む請求項２記載のハンドル。
【請求項４】
引き込み自在のスライダーピンを延長位置から引き込んだ位置まで移動させるためのスライダーピンに機能し得る形で連結された少なくとも一つのハンドルリリースを更に含む請求項２記載のハンドル。
【請求項５】
ロック組立体が引き込み自在のスライダーピンを延長位置に向かってバイアスするための少なくとも一つのバイアス部材を更に含む請求項１記載のハンドル。
【請求項６】
少なくとも一つのバイアス部材がらせんばねである請求項５記載のハンドル。
【請求項７】
ハンドルスライダーが少なくとも一つのバイアス部材を保持するためのくぼみを更に含む請求項３記載のハンドル。
【請求項８】
ロック組立体が溶接により把握部分に取り付けられる請求項１記載のハンドル。
【請求項９】
把握部分が中空である請求項１記載のハンドル。
【請求項１０】
少なくとも一つの外科的装置が引き込み自在のスライダーピンと係合するためのくぼみを有する請求項１記載のハンドル。
【請求項１１】
開口部が円形である請求項２記載のハンドル。
【請求項１２】
ボディがハンドルロック組立体と把握部分の間に遷移部分を更に含む請求項１記載のハンドル。
【請求項１３】
把握部分がボディの上部の平面から傾斜して変位される請求項１記載のハンドル。
【請求項１４】
傾斜変位が約３０度である請求項１３記載のハンドル。
【請求項１５】
引き込み自在のスライダーピンが少なくとも一つのハンドルリリースを操作することにより移動可能である請求項１記載のハンドル。
【請求項１６】
把握部分及びハンドルロック組立体を有するハンドルと、
引き込み自在のスライダーピンと係合するためのくぼみを有するカニューレとを含み、
前記ロック組立体は、上部及び下部を備えたボディ、及び引き込み自在のスライダーピンを有することを特徴とする外科処置遂行用システム。
【請求項１７】
カニューレが少なくとも一つの付加的な外科的装置をハンドルに固定するためのくぼみを更に含む請求項１６記載のシステム。
【請求項１８】
少なくとも一つの付加的な外科的装置が軟組織牽引子である請求項１６記載のシステム。
【請求項１９】
カニューレがボディ部分及びヘッド部分を有し、ボディ部分及びヘッド部分が大きさの異なる直径のものである請求項１６記載のハンドル。
【請求項２０】
カニューレがボディ部分とヘッド部分の間に傾斜連絡部を有する請求項１９記載のハンドル。
【請求項２１】
カニューレを把握し、回転させるためにカニューレに連結されたノブを更に含む請求項１６記載のハンドル。
【請求項２２】
カニューレ中にある際の外科的装置の回転を防止するためにカニューレに挿入される外科的装置に用意された少なくとも一つのタブの相手となり、係合するためのノブ中の少なくとも一つのみぞを更に含む請求項２１記載のハンドル。
【請求項２３】
少なくとも一つのタブを備えた外科的装置が栓子である請求項２２記載のハンドル。
【請求項２４】
少なくとも一つのタブを備えた外科的装置がドリルガイドである請求項２２記載のハンドル。
【請求項２５】
ハンドルロック組立体がカニューレを挿入するための上部から下部に延びるボディ中に配置された開口部を含み、引き込み自在のスライダーピンがピンが開口部に突き出てカニューレのくぼみと係合する延長位置からピンがくぼみから取り出される位置まで移動可能である請求項１６記載のシステム。
【請求項２６】
把握部分及びハンドルロック組立体を有するハンドルと、
ハンドルリリースを動かすことによりハンドルからリリース自在に取り外し可能な少なくとも一つの外科的装置とを含み、
前記ロック組立体は通路を備えたボディ及び移動可能なハンドルリリースを有することを特徴とする外科処置遂行用システム。
【請求項２７】
少なくとも一つの外科的装置がくぼみを更に含み、ハンドルロック組立体ボディが引き込み自在のピンを更に含み、該ピンが外科的装置をハンドルに固定するためにくぼみの相手となるのに適した形状にされる請求項２６記載のシステム。
【請求項２８】
少なくとも一つの外科的装置が少なくとも一つの付加的な外科的装置を固定するためのくぼみを更に含む請求項２６記載のシステム。
【請求項２９】
（ａ）ハンドルを用意し、該ハンドルは把握部分及びロック組立体を有し、該ロック組立体は上部及び下部を備えたボディ、引き込み自在のスライダーピン、及びボディ中に配置され外科的装置がハンドルに固定するために挿入される通路を有し、引き込み自在の前記スライダーピンは該ピンが通路に突き出る延長位置から該ピンが通路から取り出される引き込んだ位置まで移動可能であり、
（ｂ）引き込み自在のピンをロック組立体中の延長位置から引き込んだ位置まで引き込み、それによりピンを通路から取り出し、そして
（ｃ）第一外科的装置をハンドルから除去することを特徴とする外科処置中に外科的装置を交換する方法。
【請求項３０】
引き込み自在のスライダーピンと係合するのに適した形状にされたくぼみを有する第二の異なる装置をハンドルの通路に挿入することを更に含む請求項２９記載の方法。
【請求項３１】
引き込み自在のピンをくぼみの一つに係合することにより第二の装置をハンドルにロックすることを更に含む請求項３０記載の方法。
【請求項３２】
スライダーピンを使用者により通路から引き込んだ位置まで取り出し、引き込み自在のスライダーピンと係合するのに適した形状にされたくぼみを有する第二の異なる装置を通路に挿入し、その後にスライダーピンを第二の装置中のくぼみの一つに係合することを更に含む請求項２９記載の方法。
【請求項３３】
第二の異なる装置を回転させてくぼみ及びスライダーピンを整列させ、その後に引き込み自在のピンをくぼみの一つに係合することを更に含む請求項３１記載の方法。
【請求項３４】
引き込み自在のスライダーピンと係合するのに適した形状にされたくぼみを有する第二の異なる外科的装置を用意し、
第二の装置をハンドルに挿入し、
引き込み自在のピンをくぼみの一つに係合することにより第二の装置をハンドルにロックし、
引き込み自在のピンをロック組立体中で延長位置から引き込んだ位置まで引っ込め、それによりピンを通路から取り出し、そして
第二の装置をハンドルから除去することを更に含む請求項２９記載の方法。
【請求項３５】
スライダーピンを使用者により通路から引き込んだ位置まで取り出し、外科的装置を通路に挿入し、その後にスライダーピンが外科的装置中のくぼみと係合してカニューレをハンドルにロックすることを更に含む請求項３４記載の方法。
【請求項３６】
第二の外科的装置を回転させてくぼみ及びスライダーピンを整列させ、その後に引き込み自在のピンをくぼみの一つに係合することを更に含む請求項３４記載の方法。
【請求項３７】
少なくとも一つの外科的装置がスライダーピンの相手となってカニューレをハンドルに固定するのに適した形状にされたくぼみを有するカニューレである請求項３０記載の方法。
【発明の詳細な説明】
【０００１】
（技術分野）
本発明は一般に外科処置に使用される外科的装置、更に特別には種々の装置が一層迅速かつ容易な交換のためにリリース自在に取り付けられることを可能にする改良されたハンドルに関する。
【０００２】
（背景技術）
腹腔鏡手術の如き一層新しい最小に観血的外科技術の開発は、外科医が従来大きい外科的切除の必要を求められた多くの場合に、多くの手術処置を成功裏に行なうことを可能にしていた。この一層新しい処置において、一つ又は幾つかの非常に小さい切除が患者に行なわれ、それを通して種々の外科的装置が必要とされる外科処置を行なうのに使用し得る。最小に観血的な手術は傷害を患者に殆ど生じず、術後の感染症のリスクを軽減し、その一層大きい切除による通常の手術よりも速い回復を可能にすることを含む利益を与える。
【０００３】
トロカールは最小に観血的な手術に普通に使用される。それらは一般に中空カニューレ（管）及び栓子（ブレード付き又は先細の穴開け装置）からなり、これらは小門を患者につくるのに組み合わせて使用される。栓子はカニューレ内に摺動して外科医により既に行なわれた小さい切除に侵入するのに使用し得る単一ユニットを生じるように設計される。トロカールが一旦患者の体腔に侵入すると、栓子が取り出されるとともにカニューレを適所に残す。次いで種々の外科的装置がカニューレを通って作動されてどんな外科技術が必要とされてもそれを行ない得る。
【０００４】
トロカールは小さい切除が必要とされる外科処置が完結されることを可能にする多くの型の手術に特に有益である。一つのこのような適用は上顎又は下顎に生じる骨破損が骨ねじ及び／又は骨板により安定化される顎顔面手術にある。このトロカール適用において、ドリルガイドがカニューレに挿入され、これは外科医が骨ねじを受容するための骨中の穴を前もって開けることを可能にする。トロカールはまた頬牽引子の如き軟組織牽引子とともに使用でき、これらは組織を手術部位から離れて保持するのに使用され、その結果、それは顔面破損の固定と干渉しない。
【０００５】
カニューレは或る型のハンドルに締結又は固定し得る。これは外科医がトロカールを制御することを助け、初期の切除を正確に行ない、続いてカニューレが患者の体腔から早期に引き出される機会を減らす様式で種々の装置とともに作動するという両方のプロセスを促進する。
【０００６】
従来のハンドルは典型的にはカニューレをハンドルに結合するための種々の処理方法を使用していた。例えば、カニューレは溶接によるように永久的様式でハンドルにしばしば取り付けられた。半永久型結合、例えば、カニューレヘッドをハンドルにねじ込むこと、又は両方の部分を一緒に保持するために止めねじを用意することがまた使用されていた。Ｈｅａｒｎの米国特許第５，７５５，７２１号は外科的装置のばね及びボール戻り止めの相手になる、円周に内部くぼみを備えた保持リングが用意される別の半永久型の結合を開示している。その装置は戻り止めがくぼみに定置されるまで保持リングに押し入れられる。
【０００７】
従来のハンドルデザインは幾つかの欠点を有する。永久型取付は外科医が異なる種類又は大きさの外科的装置を交換することを可能にしない。これは外科医にとっての融通性を低減し、ハンドル及び永久に固定されたカニューレの両方を含む必要がある夫々のトロカールユニットについての価格を増大した。それにより、総合の在庫コストがまた増大される。
【０００８】
半永久型結合は外科的装置の交換可能性を与えるが、それらはまた問題があった。止めねじの使用又はハンドルへのカニューレのねじ込み結合は、特にそれが緊急の外科処置中に行なわれる必要がある場合には、装置を交換することをめんどうにする。改良を与えるが、Ｈｅａｒｎの特許に記載された結合は外科医がカニューレをハンドルからロック解除することを必要とする様式でカニューレをハンドルに積極的にロックしない。
【０００９】
それ故、以上の従来技術の装置と関連する問題を解決するとともにハンドルとの種々の外科的装置の改良されたリリース可能性及び交換可能性を可能にするハンドルに対する要望がある。
【００１０】
（発明の開示）
本発明は一般にハンドルと適合可能かつ交換可能であるように特別に設計し得る外科用工具のハンドル及びシステムに関する。
【００１１】
一実施形態によれば、ハンドルは把握部分及びハンドルロック組立体を含む。把握部分はハンドルを保持し、制御するために外科医により使用される。ハンドルロック組立体は上部及び下部を備えたボディを含み、更に外科的装置をハンドルに固定する引き込み自在のスライダーピンを含む。
【００１２】
別の実施形態において、ロック組立体ボディは外科的装置が挿入されるボディ中に配置された開口部を含む。開口部（これは一実施形態において円形であることが好ましい）はロック組立体ボディの上部から下部に延びてボディを貫通する開口部を生じる。引き込み自在のスライダーピンは、ピンが開口部に突き出て、外科的装置をハンドルに固定する延長位置から、ピンが開口部から取り出される引き込んだ位置まで移動可能である。
【００１３】
スライダーピンは形状が矩形又は正方形のブロックであることが好ましいハンドルスライダーに連結されてもよいが、これらの形状に限定されない。スライダーピンは、例えば、溶接によるようにハンドルスライダーと一体に連結されてもよく、又はスライダーピン及びハンドルスライダーが一体のユニットとして形成されてもよい。また、ハンドルスライダーはハンドルロック組立体のボディに用意されたキャビティ又はその他の開口部中に摺動自在に取り付けられることが好ましい。また、ハンドルスライダーはデザイン選択上の問題であるハンドルロック組立体の外部に取り付けられてもよい。
【００１４】
一実施形態において、ハンドルのハンドルロック組立体は少なくとも一つのハンドルリリースを有する。ハンドルリリースは先に説明したように引き込み自在のスライダーピンを延長位置から引き込んだ位置まで移動させるのに使用される。ハンドルリリースはスライダーピンに連結されるハンドルスライダーに連結され、それによりピンを移動させる。
【００１５】
別の実施形態によれば、少なくとも一つのバイアス部材が用意され、これがスライダーピンをその延長位置に向かってバイアスする。バイアス部材はらせんばねであることが好ましい。一実施形態において、バイアス部材はハンドルスライダー中に用意されたくぼみにより保持されてもよい。ハンドルロック組立体は溶接によりハンドルの把握部分に取り付けられてもよい。把握部分及びハンドルロック組立体を含むハンドルはステンレス鋼からつくられてもよいが、それは意図される適用に適したいかなる材料からつくられてもよい。ハンドルの把握部分は中空であってもよく、これがハンドルのコスト及び重量を軽減する。
【００１６】
一実施形態によれば、本発明のハンドルとともに使用し得る外科的装置はカニューレ又はトロカール組立体である。カニューレ、又は場合によっては異なる装置は、引き込み自在のスライダーピンと係合し、それによりカニューレをハンドルに固定するように設計されるくぼみを含んでもよい。好ましくは、カニューレ又は異なる装置は少なくとも一つの付加的な外科的装置をハンドルに固定するのに使用し得る付加的なくぼみを更に含んでもよい。一実施形態において、軟組織牽引子がハンドルに取り付けられてもよい付加的な装置である。好ましくは、カニューレ又は異なる装置、及びハンドルに取り付けられてもよい付加的な装置はステンレス鋼からつくられてもよいが、それらは意図される適用に適したいかなる材料からつくられてもよい。カニューレ又は異なる装置はボディ部分及びヘッド部分を更に含んでもよく、好ましくはこれらの二つの部分が異なる大きさの直径のものである場合には、傾斜連絡部（ｒａｍｐ）が以下に説明されるようにハンドルへのカニューレの挿入を促進するためにその二つの部分の間に含まれてもよい。カニューレ又は異なる外科的装置は、カニューレ又は異なる装置を把握し、回転させるためのカニューレ又は異なる装置に連結されたノブを更に含んでもよい。少なくとも一つのみぞが、カニューレ又は異なる装置中の挿入された装置の回転を防止するためにハンドルに固定されたカニューレ又は異なる外科的装置に挿入されることが意図されている外科的装置に用意された少なくとも一つのタブの相手となり、係合するためにノブ中に用意されてもよい。当業界で公知である栓子又はドリルガイドは、カニューレ又は異なる装置のノブ中の少なくとも一つのみぞの相手となる少なくとも一つのタブを備えたこのような装置であってもよい。
【００１７】
別の実施形態において、ハンドルのハンドルロック組立体ボディはハンドルロック組立体と把握部分との間に遷移部分を含んでもよい。把握部分はハンドルロック組立体の上部の平面から、好ましくは約３０度、傾斜変位されてもよい。
【００１８】
また、外科処置を遂行するためのハンドルロックシステムが提供される。そのシステムは把握部分及びハンドルロック組立体を有するハンドルを含んでもよい。ロック組立体は上部及び下部を備えたボディと、引き込み自在のスライダーピンを含む。そのシステムはスライダーピンと係合し、それによりカニューレをハンドルに固定するためのくぼみを有するカニューレ又は異なる装置を更に含んでもよい。一実施形態において、ハンドルロックシステムは付加的な外科的装置をトロカールハンドルに固定するための付加的なくぼみを更に含んでもよい。好ましくは、付加的な外科的装置は軟組織牽引子であってもよい。
【００１９】
また、外科的装置、特にトロカールをハンドルロック組立体中で交換可能に使用する方法が提供され、その方法は（ａ）ハンドルを用意する工程（そのハンドルは把握部分及びロック組立体を有し、そのロック組立体は上部及び下部を備えたボディ、引き込み自在のスライダーピン、及びボディ中に配置された通路を有し、該通路は外科的装置がハンドルに固定するために挿入され、その引き込み自在のスライダーピンはピンが通路に突き出る延長位置からピンが通路から取り出される引き込んだ位置まで移動可能である）、（ｂ）引き込み自在のスライダーピンと係合し、それによりカニューレをハンドルに固定するためのくぼみを有するカニューレを用意する工程、（ｃ）カニューレをハンドルに挿入する工程、（ｄ）引き込み自在のピンをくぼみの一つに係合することによりカニューレをハンドルにロックする工程、（ｅ）引き込み自在のピンを延長位置から引き込んだ位置まで引き込む工程、及び（ｆ）カニューレをハンドルから除去する工程を含んでもよい。その方法はくぼみを有する異なる外科的装置をカニューレ以外の通路に挿入することを含んでもよい。その方法は栓子をカニューレに挿入することを更に含んでもよい。
【００２０】
その方法の別の実施形態において、カニューレ又は異なる外科的装置をハンドルにロックすることはスライダーピンを通路から引き込んだ位置まで使用者により取り出す工程及びスライダーピンがくぼみの一つと係合する前にカニューレ又は異なる装置を通路に挿入する工程を更に含んでもよい。その方法はまたカニューレ又は異なる装置を回転させてくぼみ及びスライダーピンを整列させてカニューレ又は異なる装置をハンドルにロックする工程を更に含んでもよい。
【００２１】
本発明は顎顔面の外科処置に特に有益であることが当業者により認められるであろう。しかしながら、本発明の使用は顎顔面の手術のみに限定されず、本発明は医療用又は歯科用の装置をハンドルにリリース自在に取り付けることが望ましい医療又は歯科の処置とともに、またあらゆる型のその処置に使用し得る。
【００２２】
（図面の簡単な説明）
本発明の特徴及び利点が以下の発明の詳細な説明から一層明らかになり、その中で同様の部材は同様に標識される。図１は本発明のハンドルの側面図である。図２Ａはハンドルリリースが除去されて示された図１のハンドルのハンドルロック組立体の側面図、図２Ｂはハンドルリリースが除去されて示された図１のハンドルのハンドルロック組立体の下部平面図、図２Ｃはハンドルリリースが除去されて示された図１のハンドルのハンドルロック組立体の同大図、図２Ｄは図１のハンドルのハンドルロック組立体のハンドルスライダーの平面図、図２Ｅは図１のハンドルのハンドルロック組立体のスライダーピンの図、図２Ｆは図１のハンドルのハンドルロック組立体のハンドルリリースの同大図、図２Ｇは図１のハンドルのハンドルロック組立体の上部断面図である。図３Ａは図１のハンドル１と交換可能に使用し得るカニューレの平面図、図３Ｂは図３Ａのカニューレの９０度回転した平面図である。図４Ａは摺動Ｃ−牽引子リリースが部分的に除去されて示された図１のハンドルとともに使用し得る軟組織Ｃ−牽引子の上部平面図、図４Ｂは図１のハンドルとともに使用し得る軟組織Ｃ−牽引子の側面図、図４Ｃは図１のハンドルとともに使用し得る軟組織Ｃ−牽引子の同大図である。図５は図１のハンドルとともに使用し得る挿入された栓子とともに図３Ａ及び３Ｂのカニューレを示す。図６は挿入されたカニューレ及び栓子と一緒の図１のハンドルの側面図である。
【００２３】
（発明を実施するための最良の形態）
図１を参照して、ハンドル１が一実施形態においてハンドルロック組立体２及び把握部分３を含むものとして示される。ハンドルロック組立体２は示されたように把握部分３に連結された遷移部分４を含んでもよいが、ロック組立体２は所望されるハンドル１の形状及びデザインに応じて最小の遷移でもって、又は遷移を含まないで把握部分３に直接に取り付けられてもよい。更に、把握部分３の形状は人間工学的デザイン選択の問題であり、示された実施形態に限定されないことが容易に明らかであろう。更に、把握部分３は当業界で普通に使用されるあらゆる様式（例えば、溶接、止めねじ等）で一緒に固定された一つ以上の片から形成されてもよく、中実又は中空であってもよい。また、把握部分３上のロック組立体２の大きさ、形状、及び位置はデザイン選択の問題であり、示された好ましい実施形態に同様に限定されないことが認められるであろう。
【００２４】
図２Ａ−２Ｇはハンドル１のハンドルロック組立体２を更に詳しく示す（明瞭にするために、同一の数字的表示はここに含まれるあらゆる図面で同じ部分について使用される）。図２Ａを参照して、ハンドルロック組立体２はボディ７、引き込み自在のスライダーピン５、及びボディ７中に用意されたキャビティ内に摺動自在に取り付けられるハンドルスライダー６を含む。ハンドルスライダー６は種々のくぼみがハンドルロック組立体２のその他の構成部分を収容するためにつくられた矩形又は正方形のブロックであることが好ましい（図２Ｄ中に最良に見られる）。ピン５（図２Ｅ）は、好ましくはピンをスライダー６中に用意されたくぼみ４０にプレスばめすることにより、ハンドルスライダー６に動かないで連結される（図２Ｄ）。また、ピン５は当業界で普通に知られているあらゆる様式でハンドルスライダー６に取り付けられてもよく、実際にスライダーの製造中に形成されるスライダー６の一体部分であってもよい。示されるようなピン５は以下に記載されるように外科的装置中に用意されたくぼみとの係合を促進するために丸められた端部を有することが好ましい。
【００２５】
図１を参照して、また図２Ｆ及び２Ｇに最良に見られるように、摺動ハンドルリリース９が示された好ましい実施形態において用意され、これはＵ字形であり、ハンドルロック組立体ボディ７の下部のまわりを包む。ハンドルリリース９は、側壁４８を備えた基部４７を有し、該側壁が上向きに突き出て基部に連結されている。示された一実施形態において、ハンドルリリース９は、ハンドルロック組立体２のボディ７上に形成又は機械加工された平らなランディング４４（図２Ｂ）と相手になり、その上で摺動する平らにされた表面４５を有する。ハンドルリリース９は当業界で普通に使用されるあらゆる数の方法でハンドルスライダー６の両面に取り付けられてもよい。例えば、ハンドルリリース９は、示されてるようなプレスばめ突出くぎ（ｄｏｗｅｌ  ｐｅｇｓ）１０、又はハンドルスライダー６（図２Ｄ）中に用意されたくぼみ４１に嵌合し、ハンドルリリース９の両面中の開口部４６を通過する止めねじ（示されていない）でハンドルスライダー６に取り付けられてもよい。ハンドルリリース９はまた外科医がリリースを確実に把握することを可能にするリブ付き表面又はその他の非滑り表面５０を有することが好ましい。また、フランジ５１がハンドルリリース９を把握し、引き込めることを助けるために用意されてもよい。ハンドルリリース９がＵ字形として示されているが、ハンドルリリースはこの実施形態に限定されず、ハンドルリリースのあらゆる形状又は数が使用されてもよく、その形状及び数は人間工学上かつ／又はデザイン上の好みの問題である。
【００２６】
ハンドルロック組立体２のハンドルロック組立体ボディ７は、上部１１から下部１２までボディ中を完全に延びる、好ましくは示されるように円形の、開口部８を更に含んでもよい（図２Ａ及び２Ｃ）。引き込み自在のスライダーピン５は開口部の面に形成又は切り込まれた側面窓１３を通ってボディ７中の開口部８に突き出ている（図２Ｃに最良に見られる）。この位置が引き込み自在のスライダーピン５の“延長”位置と称される。
【００２７】
図２Ｃに示されるように、一実施形態におけるハンドルロック組立体２のボディ７は、先に説明されたような遷移部分４及びハンドルロック組立体２を把握部分３に連結するためのハンドル取付端部１５を含む（また図１を参照のこと）。好ましくは、取付端部１５は示されたように把握部分３に溶接するための形状にされてもよいが、そのことに関して限定されない。こうして、ハンドルロック組立体２はロック組立体をハンドル把握部分にねじ込むこと、ねじや、ファスナーの使用等のような半永久連結を含む、当業界で普通に知られているあらゆる好適な様式で把握部分３に連結されてもよい。取付端部１５は中空ハンドル把握部分３（これは溶接によりハンドルロック組立体に永久に連結されてもよい）に挿入されるように設計されたテーパ付き円筒形端部を含むことが好ましい。先に説明したように、ハンドルロック組立体２は最小のあらゆる型の遷移部分３でもって、又は遷移部分なしに設計されてもよく、その遷移部分は厳密にはデザイン選択上の問題である。更に、ハンドルロック組立体２のボディ７に関する多くの可能な形状及びボディを把握部分３に取り付ける付随の手段は本明細書に記載された発明から逸脱しないで明らかであるように可能である。その形状及び取付手段はデザイン選択上の問題である。
【００２８】
図２Ａに示されるように、把握部分３は上部１１と遷移部分４を通って描かれた長さ方向の中心線軸Ｘ−Ｘとの間の角度θにより測定されるようにハンドルロック組立体ボディ７の上部１１の平面から傾斜変位されてもよい（図２Ｂを参照のこと）。角度θは０度〜９０度であることが好ましく、約３０度であることが最も好ましい。しかしながら、角度θは特別な意図される外科適用並びにハンドル１のボディ７、遷移部分４、及び把握部分３の形状に応じてどのような角度が所望され、必要であろうとも変化し得ることが容易に明らかであろう。
【００２９】
図２Ａ及び２Ｂに示される一実施形態において、ばね１４を含むバイアス部材は、ハンドルスライダーを、ピンが円形開口部８に突き出る“延長位置”にある引き込み自在のスライダーピン５で保持するためにハンドルロック組立体ボディ７内に用意される。ばね１４はハンドルスライダー６中につくられたくぼみ１５（図２Ｄに最良に見られる）内に一端で閉じ込められてもよい。ばね１４の他端は、くぼみ１５と反対に位置されたハンドルロック組立体ボディ７の内壁と接触してもよい。
【００３０】
外科医はピン５をばね１４の力に対して円形開口部８から引き込む方向にハンドルリリース９を動かすことによりハンドルロック組立体２を操作する。この位置は引き込み自在のスライダーピン５の“引き込んだ”位置と称される。外科医がハンドルリリース９を解放する場合、引き込み自在のスライダーピン５がばね１４によりその初期の“延長”位置に自動的に戻される（即ち、円形開口部８に突き出る）。本発明はその他の形態のバイアス部材で、また唯一のばね又は幾つかの数のばねで構成されてもよいことが認められ、バイアス部材の数及び型は厳密にはデザイン選択上の問題である。
【００３１】
らせんばねが示されているが、本発明は特別な意図される適用に依存して、使用される一つ以上のばねの型、大きさ、又はばね力定数（ｋ）に関して限定されないことが当業者により更に認められるであろう。例えば、板ばね、捩じばね、片持曲げ部材、及びその他のバイアス部材が使用されてもよい。ばね力（ｋ）は、引き込み自在のスライダーピン５を上記“延長”位置に積極的に保持して（即ち、ピンが円形開口部８に延長する）カニューレ又はその他の外科的装置をハンドルに固定して保持するのに充分であると同時に、外科医がカニューレ又はその他の外科的装置を交換又は回転させるためにピンを“引き込んだ”位置まで引き込めることが不当に困難である程には大きくないように選ばれるべきである。ばね１４は、このような部材に普通に使用されるあらゆる好適な材料からつくられてもよく、示される装置の意図される適用について外科的装置に適するべきである。また、ハンドルスライダー６中に用意されたくぼみ１５のデザインは、使用されるバイアス部材の特別な数、大きさ、及び型を収容するためにあらゆる数の方法で変更されてもよいことが注目されるべきである。また、ばね１４は、あらゆるどんなくぼみ１５を使用しても、また使用しないでも当業界で普通に知られているその他の手段によりハンドルスライダー６又はボディ７と係合されてもよい。例えば、ボディ７はばね１４を保持するためにくぼみ又はその他の手段を含んでもよい。
【００３２】
ハンドルの操作は本発明により使用し得るカニューレを示す図３Ａ及び３Ｂを参照することにより更に理解されるであろう。カニューレ１６はボディ部分１７及びヘッド部分１８を含む円形断面を有する中空管状構造である。一実施形態において、好ましくは一層小さい直径のボディ部分１７を一層大きいヘッド部分１８に遷移する傾斜連絡部１９が用意される。連絡部１９の形状は、外科医がカニューレ１６をハンドルロック組立体２の円形開口部８に押し入れる場合に、引き込み自在のスライダーピン５を自動的に引き込ませ、カニューレのボディ部分１７が最初に円形開口部８に挿入される起因となる。これは、都合のよいことに外科医がハンドルリリース９を使用することを必要としないでカニューレ１６がハンドルロック組立体２に挿入されることを可能にする。しかしながら、連絡部１９は、それに関して限定されない本発明では必要ではないことが注目されるべきである。それ故、ボディ部分１７及びヘッド部分１８は同じ直径のものであってもよく、外科医は以下に更に充分に説明されるようにカニューレ１６をハンドルロック組立体２に挿入するためにハンドルリリース９を使用し、次いでハンドルリリースを解放してカニューレを適所にロックするであろう。
【００３３】
依然として図３Ａ及び３Ｂを参照し、ハンドル１とともに使用されるように設計されたカニューレ、又はその他の外科的装置はロックくぼみ２０を備えていてもよい。くぼみ２０は、示されるようにハンドルロック組立体（図２Ａ）の引き込み自在のスライダーピン５の相手となるようにヘッド部分１８の円周付近に用意されてもよい。ロックくぼみ２０の形状及び大きさは変更してもよく、引き込み自在のスライダーピン５の相手となるような形状にされる。操作中、カニューレ１６はそれがハンドルロック組立体２（図２Ａ）の円形開口部８に挿入された後に適所にある場合に、引き込み自在のスライダーピン５がロックくぼみ２０の一つと係合する。引き込み自在のスライダーピン５は、カニューレ１６がハンドル１中に積極的にロックされ、不注意に外され、又は取り出されたりできないような様式でくぼみ２０の相手となることが好ましい。好ましくは、カニューレ、又は使用し得るその他の外科的装置を除去又は回転させるために、外科医はハンドルリリース９を使用して最初に引き込み自在のスライダーピン５を引き込む積極的工程を採用する。ノブ２２は、カニューレ１６のヘッド部分１８の端部に形成され、外科医がカニューレを把握するとともに挿入又は回転させるための構造を与える。ノブ２２はきざみ付き表面又は同様の非滑り表面５２を有することが好ましい。
【００３４】
本発明のハンドル１の操作は図２Ａ、２Ｂ、及び３Ａを参照して最良に記載される。外科医は最初に関係する特別な外科処置に適した大きさのカニューレ１６を選ぶ。連絡部１９を有するカニューレ１６は、引き込み自在のスライダーピン５がカニューレのロックくぼみ２０の一つと係合し、それによりカニューレをハンドルにロックするまでハンドル１のハンドルロック組立体２中の円形開口部８に挿入される。このシナリオにおいて、連絡部１９は、カニューレをハンドル１に挿入することによりピン５を上記のように自動的に引き込ませる。また、連絡部１９を有しないカニューレ１６が使用される場合（即ち、カニューレボディ部分１７の直径がヘッド部分１８の直径に等しい）、外科医は最初に摺動ハンドルリリース９を移動させてピン５を引き込ませ、その後にカニューレをハンドル２に挿入することが好ましい。カニューレ１６がハンドル１に挿入された後に、ハンドルリリース９が外科医により解放され、その結果、ピン５がロックくぼみ２０の一つと係合し、それによりカニューレをハンドルにロックする。ピン５を引き込ませるとともにカニューレ１６を挿入するためにハンドルリリース９を使用するこの後者の処置はまた連絡部１９を有するカニューレとともに使用されてもよい。カニューレがハンドル１に挿入される場合のロックくぼみ２０との引き込み自在のスライダーピン５の円周アライメントに応じて、ピン及び一つのくぼみが適切に整列し、係合されるまで、カニューレ１６のヘッド部分１８上でノブ２２を回転させてカニューレを回転させることが必要であるかもしれない。
【００３５】
カニューレ１６をハンドル１から除去するために、外科医は摺動ハンドルリリース９を移動させてピン５を引き込ませ、次いでカニューレを取り出す。ハンドルリリース９は、また外科医がカニューレについて異なる回転位置を好む場合に、カニューレがハンドル１に挿入される間にカニューレ１６を回転させるのにこの同じ様式で使用されてもよい。
【００３６】
図３Ａ及び３Ｂに示された実施形態におけるカニューレ１６は、その他の外科的装置がくぼみ２１の相手になり、それによりその装置をカニューレにロックするように設計された突起を利用し得るカニューレに取り付けられることを可能にするアクセサリーくぼみ２１を備えていることが好ましいかもしれない。一つのこのような装置は軟組織牽引子、例えば、図４Ａ−４Ｃに示されたようなＣ−牽引子４９であり、これは顎顔面手術に普通に使用される。その頬牽引子は耳の付近の下顎又は顎骨に関係する手術にしばしば使用される。図４Ａ中、一実施形態における頬牽引子４９はＣ−牽引子の一端上のロック端部２９及び反対端部上のフォーク端部３０を含む。ロック端部２９は引き込み自在のスライダー突起３１、突起保持スライダー３２、少なくとも一つのバイアス部材（これは示されるようなばね３３であることが好ましい）、及びプレスばめ突出くぎ３４を更に含む。好ましくは円形又は卵形の、開口部３６がまた好ましくは矩形の、開いたキー溝３５とともにロック端部２９に用意される。開口部３６及びキー溝３５の両方はロック部分２９中に完全に延びる。また好ましくは、開いたキー溝３５は、開口部３６と交差して引き込み自在のスライダー突起３１、突起保持スライダー３２、及びばね３３が載る単一の連続の開口部を形成する。突起３１は当業界で普通に知られているいかなる様式でスライダー３２に取り付けられてもよく、実際にスライダーの製造中に形成されたスライダーの一体部分であってもよい。
【００３７】
依然として図４Ａ−４Ｃを参照して、引き込み自在のスライダー突起３１は、ばね３３により“延長”位置に保持され、それにより突起が開口部３６に突き出る。ばね３３の一端は突起保持スライダー３２の後部に用意されたくぼみ４３中に静止し、ばねの他端はキー溝３５の背部の壁と接触する。ばね３３のばね力は突起３１を“延長”位置に保持するのに充分な力を与えるように選ばれるべきであると同時に、その力は外科医が突起を引き込めることが不当に困難である程には大きくてはならない。少なくとも一つの溝又はチャンネル４２がばね３３付近の後部で閉じられる突起保持スライダー３２の一側又は両側中に用意されてもよい。プレスばめ突出くぎ３４が備えられてもよく、これらは一つ以上の溝４２に載り、ロック端部２９の面中の開口部５３を通過する。また、当業界で公知の止めねじ又はその他の手段が突出くぎ３４に代えて使用されてもよい。突出くぎ３４は、溝４２の閉じた端部と接触してばね３３が突起保持スライダーを開口部３６に押し入れることを防止することにより突起保持スライダー３２をＣ−牽引子４９のロック端部２９に保持するのに利用できる。
【００３８】
図４Ｂ及び４Ｃに最良に見られるように、好ましくは二つの摺動Ｃ−牽引子リリース３８がスライダー突起３１をばね３３の力に対して“引き込んだ”位置に引き込めるために用意可能であり、それにより突起が開口部３６からキー溝３５に引き込まれる。牽引子リリースは当業界で普通に知られている手段により突起保持スライダー３２の上部及び下部に取り付けられ、実際にスライダーの製造中に形成されたスライダー３２の一体部分であってもよい。リリース３８が適所にある場合、リリースはキー溝３５の上部及び下部のための閉鎖として利用できる。牽引子リリース３８は外科医により容易に把握し得るリブ付き表面又はその他の非滑り表面５４を有することが好ましい。牽引子リリース３８はまた外科医がスライダー突起３１を引き込めることを助けるような輪郭、及び形状にされてもよい。
【００３９】
Ｃ−牽引子４９のフォーク端部３０は二つのとがった先端部（ｐｒｏｎｇ）を含む。この先端部は示されるようにＣ−牽引子４９から離れて湾曲されることが好ましい。また、プロング３９の形状は真っ直ぐであってもよい。
【００４０】
頬Ｃ−牽引子４９の使用が図３Ａ及び４Ａ−４Ｃを参照することにより最良に説明し得る。ハンドル１のカニューレ１６が患者の頬に挿入された後、フォーク端部が患者の口に挿入され、その結果、カニューレ（口内）のボディ部分１７が二つの先端部３９の間に位置されるようになる。次いでロック端部２９は、摺動牽引子リリース３８を使用して突起３１を引き込め、Ｃ−牽引子の引き込み自在のスライダー突起３１がカニューレの付属くぼみ２１の一つと整列するまでＣ−牽引子の開口部３６をカニューレヘッド部分１８の背部のノブ２２に渡って滑らせ、次いでリリース３８を解放して付属くぼみの一つに突起を係合することにより、ハンドル１（これは患者の口の外部にある）に固定される。Ｃ−牽引子がそれによりハンドル１に固定される。スライダー突起３１はまた外科医により所望されるかもしれないハンドル付近かつそれに関する幾つかの位置にＣ−牽引子を回転させるためにＣ−牽引子４９がハンドル１の適所に留まる間に引き込められてもよい。
【００４１】
多くの外科的装置がまたカニューレ１６に挿入され、使用されてもよい。例えば、図５を参照して、最小に観血的外科処置に普通に使用される栓子５５がカニューレ１６に挿入されているとして示される。示された実施形態における栓子は、一端に円錐先細先端２４、そして反対端部に拡大され、丸められたヘッド２５を備えた中実丸形シャフト２３（カニューレボディ部分１７の遠位端部に部分的に見られる）からなる。シャフト２３は当業界で普通に知られているあらゆる様式、例えば、溶接、止めねじ、ねじ込み取付け、等によりヘッド２５に動かないように取り付けられる。示された実施形態において、栓子ヘッド２５はカニューレ１６のノブ２２中に用意された少なくとも一つのみぞ２７の相手となるように設計される少なくとも一つのタブ２６を有する。これは、栓子が一旦カニューレ１６に挿入されると、栓子５５が回転することを防止する。また破損固定のための手術に普通に使用されるドリルガイド（示されていない）がまたハンドル１のカニューレ１６とともに使用されてもよい。これらのドリルガイドはカニューレ１６と一緒の使用に適合性があるように設計されてもよく、またカニューレのノブ２２中に用意された少なくとも一つのみぞ２７の相手となる栓子５５のような拡大された、丸形ヘッド上の少なくとも一つのタブを含んでもよい。
【００４２】
図６はハンドルロック組立体２により適所に挿入され、ロックされたカニューレ１６とともに完全に組み立てられたハンドル１を示す。栓子５５がハンドル１に挿入されて示され、その先細先端２４がカニューレ１６の端部から突出し、栓子の拡大された、丸形ヘッド２５がカニューレの反対端部に見られる。
【００４３】
記載された以上の構成部分（即ち、カニューレ、栓子、ドリルガイド、Ｃ−牽引子等）の全てを含むハンドルは外科処置における使用に適したいかなる材料からつくられてもよい。例えば、ハンドル及びその構成部分は普通に使用されるステンレス鋼からつくられることが好ましいかもしれないが、本発明はデザイン選択上の問題であろう使用される材料の型に限定されない。
【００４４】
本明細書に記載されたハンドルの詳細はデザイン選択上の問題であり、本発明は記載された特別な実施形態又はこれらの特徴に限定されないことが当業者により認められるであろう。それ故、多くの改良が本発明の精神及び特許請求の範囲から逸脱しないでハンドル及びその構成部分についてなし得る。
【図面の簡単な説明】
【図１】本発明のハンドルの側面図である。
【図２】Ａはハンドルリリースが除去されて示された図１のハンドルのハンドルロック組立体の側面図、Ｂはハンドルリリースが除去されて示された図１のハンドルのハンドルロック組立体の下部平面図、Ｃはハンドルリリースが除去されて示された図１のハンドルのハンドルロック組立体の同大図、Ｄは図１のハンドルのハンドルロック組立体のハンドルスライダーの平面図、Ｅは図１のハンドルのハンドルロック組立体のスライダーピンの図、Ｆは図１のハンドルのハンドルロック組立体のハンドルリリースの同大図、Ｇは図１のハンドルのハンドルロック組立体の上部断面図である。
【図３】Ａは図１のハンドル１と交換可能に使用し得るカニューレの平面図、Ｂは図３Ａのカニューレの９０度回転した平面図である。
【図４】Ａは摺動Ｃ−牽引子リリースが部分的に除去されて示された図１のハンドルとともに使用し得る軟組織Ｃ−牽引子の上部平面図、Ｂは図１のハンドルとともに使用し得る軟組織Ｃ−牽引子の側面図、Ｃは図１のハンドルとともに使用し得る軟組織Ｃ−牽引子の同大図である。
【図５】図１のハンドルとともに使用し得る挿入された栓子とともに図３Ａ及び３Ｂのカニューレを示す。
【図６】挿入されたカニューレ及び栓子と一緒の図１のハンドルの側面図である。
【国際公開パンフレット】
2004516062.tif 000003
2004516062.tif 000004
2004516062.tif 000005
2004516062.tif 000006
2004516062.tif 000007
2004516062.tif 000008
2004516062.tif 000009
2004516062.tif 000010
2004516062.tif 000011
2004516062.tif 000012
2004516062.tif 000013
2004516062.tif 000014
2004516062.tif 000015
2004516062.tif 000016
2004516062.tif 000017
2004516062.tif 000018
2004516062.tif 000019
2004516062.tif 000020
2004516062.tif 000021
2004516062.tif 000022
2004516062.tif 000023
2004516062.tif 000024
2004516062.tif 000025
2004516062.tif 000026
2004516062.tif 000027
2004516062.tif 000028
2004516062.tif 000029
2004516062.tif 000030
【国際調査報告】
2004516062.tif 000031
2004516062.tif 000032
2004516062.tif 000033